(57)【要約】  製品分配容器用クロージャデバイス（１）は、容器にクロージャデバイスを装着するためのコネクタ部（２ａ）付き本体を有するベース（２）を備える。ベースは、製品チャネル（５）と、製品チャネルを塞ぎ、クロージャデバイスの下側シールを形成する破裂可能シール（４）とを備える。ベースに回転部品（２０）が回転自在に軸支される。回転部品は、ベースの製品チャネルと連通状態にある製品通路（２１）を有する。上側密封構成（３０）が、回転部品上に配設され、クロージャデバイスの上側シールを形成し、下側シールから離れた位置にあり、回転部品の製品通路を密封する。下側シール破裂部材（４０）が、下側シールを破裂させるために、破裂運動時にベースに対して移動可能である。運動伝達（２７、４２、３ｂ、４１）手段が設けられ、回転部品が回転作動されると、下側シール破裂部材が破裂運動を行う。保護オーバーキャップ（１０）は取り外し可能。
2013539443.tif 000002
【特許請求の範囲】
【請求項１】
製品容器からの分配用のクロージャデバイス（１；１０１）であって、
製品容器上に前記クロージャデバイスを装着するように構成されたコネクタ部（２ａ；１０２ａ）付き本体を有するベース（２；１０２）であって、前記ベースが、
前記ベース本体にある製品チャネル（５；１０５）と、
前記製品チャネルを塞ぎ、前記クロージャデバイスの下側シールを形成する破裂可能シール（４；１０４）と、を備えるベースと、
前記ベース（２；１０２）に回転可能に軸支される回転部品（２０；１２０）であって、前記ベースの前記製品チャネルと連通する製品通路（２１；１２１）を有する、回転部品（２０；１２０）と、
前記回転部品（２０；１２０）上に配設され、前記クロージャデバイスの上側シールを形成する上側密封構成（３０；１３０）であって、前記下側シールから離れた位置にあり、前記回転部品（２０；１２０）の製品通路を密封する、上側密封構成（３０；１３０）と、
前記破裂可能下側シール（４；１０４）を破裂させるために、破裂運動時に前記ベースに対して移動可能な下側シール破裂部材（４０；１４０）と、
前記回転部品（２０；１２０）が適切に回転作動されると、前記下側シール破裂部材（４０；１４０）の破裂運動を行うように構成される運動伝達手段（２７、４２、３ｂ、４１；１５０、１５１、１６１、１６２）と、
使用者によって取り外し可能な保護オーバーキャップ（１０；１１０）と、を備え、
前記オーバーキャップ（１０；１１０）が初めて取り外される前、前記上側密封構成（３０；１３０）が閉状態にあり、
前記オーバーキャップ（１０；１１０）が、前記ベース（２；１０２）に接続され、前記オーバーキャップを前記ベースから取り外すために、使用者によって前記ベースに対して回転されるように構成され、
前記オーバーキャップの取り外しによって前記回転部品の回転運動を生じるように、前記オーバーキャップ（１０；１１０）が前記回転部品（２０；１２０）と係合し、使用者が前記オーバーキャップを取り外すことによって、前記下側シール破裂部材（４０；１４０）が前記破裂運動を行い、前記破裂可能下側シール（４；１０４）を破裂させて前記製品チャネル（５；１０５）を開口し、
前記上側密封構成（３０；１３０）が、前記オーバーキャップの取り外しプロセス中、閉状態のままであるように構成されることを特徴とする、クロージャデバイス。
【請求項２】
前記上側密封構成（３０；１３０）が、自動閉鎖密封構成であることを特徴とする請求項１に記載のクロージャデバイス。
【請求項３】
前記上側密封構成が、圧力下（Ｕｎｄｅｒｐｒｅｓｓｕｒｅ）作動式の弁（３０；１３０）を備え、前記弁の出口で圧力下が確立されると、前記弁が開くことを特徴とする請求項１または２に記載のクロージャデバイス。
【請求項４】
前記オーバーキャップ（１０；１１０）が、前記ベースから前記オーバーキャップの取り外しが初めてであることを明らかにするための不正開封防止特徴（１４；１１４）、例えば、不正開封防止バンドを、前記オーバーキャップの下端部に有することを特徴とする請求項１から３のいずれか一項に記載のクロージャデバイス。
【請求項５】
前記下側シール破裂部材（４０）が前記回転部品（２０）に接続され、前記オーバーキャップの取り外し時に前記回転部品とともに回転され、螺旋破裂運動を行うことを特徴とする請求項１から４のいずれか一項に記載のクロージャデバイス。
【請求項６】
前記下側シール破裂部材（４０）および前記ベース（２）が、破裂運動を行うための協働ねじ山（４１、３ｂ）を有することを特徴とする請求項５に記載のクロージャデバイス。
【請求項７】
前記下側シール破裂部材（４０；１４０）が、管状本体を有し、前記本体が、前記ベースの前記製品チャネルに部分的に位置するとともに、前記回転部品の前記製品通路に部分的に位置し、前記製品が、分配時に前記下側シール破裂部材を通過することを特徴とする請求項１から６のいずれか一項に記載のクロージャデバイス。
【請求項８】
前記下側破裂可能シールは周囲が、前記ベースの前記本体に固定された、例えば、熱や誘導密封（シール）によって固定された１つ以上の金属層を備える箔（４；１０４）であることを特徴とする請求項１から７のいずれか一項に記載のクロージャデバイス。
【請求項９】
前記ベースが、外側部を有する環状壁部（１１；１１１）を備え、前記オーバーキャップおよび前記管状壁部の前記外側部が、協働ねじ山（１２、１３；１１２）または差し込み手段を有することを特徴とする請求項１から８のいずれか一項に記載のクロージャデバイス。
【請求項１０】
前記環状壁部（１１；１１１）が、前記回転部品（２０；１２０）が軸支される内側部を有することを特徴とする請求項９に記載のクロージャデバイス。
【請求項１１】
前記回転部品（２０；１１２）が、前記製品通路を形成する前記ベースの孔内に延伸する管状部（２０ａ）を備え、前記管状部と前記ベースとの間に環状シールが存在することを特徴とする請求項１から１０のいずれか一項に記載のクロージャデバイス。
【請求項１２】
前記コネクタ部（２ａ；１０２ａ）が、折り畳み可能な袋の１つ以上の膜壁、例えば、２つの対向する膜壁間に前記ベースを固定するように構成されることを特徴とする請求項１から１１のいずれか一項に記載のクロージャデバイス。
【請求項１３】
クロージャデバイス（１；１０１）が設けられた製品容器、例えば、折り畳み可能な袋であって、前記クロージャデバイス（１；１０１）は製品容器上に装着されるコネクタ部（２ａ；１０２ａ）を有する本体を備えるベース（２；１０２）を備え、前記ベースが前記ベース本体に製品チャネルを備え、
破裂可能シール（４；１０４）が、前記製品チャネル（５；１０５）を塞ぎ、下側シールを形成し、
前記クロージャデバイスが、前記ベースに回転自在に軸支された回転部品（２０；１２０）を備え、
前記回転部品が、前記製品チャネル（５；１０５）と連通する製品通路（２１；１２１）を有し、
前記クロージャデバイスが、前記回転部品上に配設された、上側シールを形成する上側密封構成（３０；１３０）を備え、前記上側シールが、前記下側シールから離れた位置にあり、前記回転部品の製品通路を密封し、
前記クロージャデバイスが下側シール破裂部材（４０；１４０）を備え、前記下側シール破裂部材（４０；１４０）は、破裂可能下側シール（４；１０４）を破裂させるために、破裂運動時に前記ベースに対して移動可能であり、
前記クロージャデバイスが、前記回転部品が適切に回転作動されると、前記下側シール破裂部材の破裂運動を行うように構成される運動伝達手段（２７、４２、３ｂ、４１；１５０、１５１、１６０、１６１）を備え、
使用者によって取り外し可能な保護のオーバーキャップ（１０；１１０）が設けられ、
前記オーバーキャップが初めて取り外される前、前記上側密封構成（３０；１３０）が閉状態にあり、
前記オーバーキャップ（１０；１１０）が、前記ベース（２；１０２）に接続され、前記オーバーキャップを前記ベースから取り外すために、使用者によって前記ベースに対して回転されるように構成され、
前記オーバーキャップ（１０；１１０）は、前記オーバーキャップが取り外されると、前記回転部品の回転運動を生じるように前記回転部品（２０；１２０）と係合するため、使用者が前記オーバーキャップを取り外すことによって、前記下側シール破裂部材（４０；１４０）が前記破裂運動を行い、前記破裂可能下側シール（４；１０４）を破裂させて、前記製品チャネルを開口し、
前記上側密封構成（３０；１３０）が、前記オーバーキャップの取り外しプロセス中、閉状態のままであるように構成されることを特徴とする製品容器。
【請求項１４】
前記オーバーキャップが初めて取り外されると、前記クロージャデバイスの前記下側破裂可能シールを破裂させる、請求項１から１３のいずれか一項に記載のクロージャデバイス（１；１０１）を有する製品容器から製品を分配する方法。
【発明の詳細な説明】
【技術分野】
【０００１】
本発明は、製品容器から、例えば、ボトルまたは折り畳み可能な袋から製品を分配可能にするクロージャデバイスに関する。
【背景技術】
【０００２】
例えば、クロージャデバイスを容器のネックにねじ留めすることによって、またはベースを折り畳み可能な袋にヒートシールまたは誘導シールすることによって、製品容器上にクロージャデバイスを装着するように適応されたコネクタ部付き本体を有するベースを備えたクロージャデバイスが知られている。
既知のデバイスにおいて、ベースは、製品チャネルを有し、製品チャネルを横断してまたがることで、製品チャネルを塞ぐ破裂可能シールが存在する。国際公開第０１／３６２８９号パンフレットに実施例が示されている。これらの実施例において、クロージャデバイスは、容器を初めて開封するさいに使用者によって取り外し可能な保護オーバーキャップを含む。典型的に、容器の使用を開始する前に、オーバーキャップの取り外しが可能である。オーバーキャップは、多くの場合、廃棄されるが、必要に応じて再利用されてもよい。
【先行技術文献】
【特許文献】
【０００３】
【特許文献１】国際公開第０１／３６２８９号パンフレット
【発明の概要】
【発明が解決しようとする課題】
【０００４】
本発明の目的は、改良されたクロージャデバイスを提供することであり、または、既存のクロージャデバイスの代替物を少なくとも提供することである。
本発明の目的は、製品容器が開封されていない間は、例えば、空気が侵入しないように製品を遮蔽する高信頼性の障壁機能を備えたクロージャデバイスを提供することである。本発明の目的は、使用者がクロージャデバイスを単純かつ直観的に取り扱えるクロージャデバイスを提供することである。
【課題を解決するための手段】
【０００５】
本発明は、請求項１に記載のクロージャデバイスを提供することによって、上記目的の１つ以上を達成する。
【０００６】
回転部品は、ベースに対して回転可能であり、運動伝達手段は、回転部品が回転されると、下側シール破裂部材に破裂動作を実行させる。この回転は、使用者によって行われる単純かつ直観的な動きである回転運動によって、使用者がクロージャデバイスからオーバーキャップを初めて取り外すさいに起こる結果である。したがって、オーバーキャップを取り外すプロセス中、使用者は、基本的に、無意識のうちに、下側シールの破裂を生じさせる。実際の実施形態において、前記下側シールとともに、破裂部材は、使用者には見えない場合もあるため、使用者は、このような下側シールが存在することにも気が付かない。
下側シールの破裂は、破裂可能シールの切断、穿孔、引き裂き、もしくは同様のもの、またはそれらの組み合わせを含むものであってもよい。
【０００７】
オーバーキャップを取り外す間、上側密封構成が閉鎖されたままであるため、流出する危険性が限定されるか、またはなくなる。
【０００８】
このクロージャデバイスは、例えば、前記下側シールが１つ以上の金属層、例えば、箔を含む場合、下側シールを破裂させるために余計な作業を伴う負担を使用者にかけることなく、下側破裂可能シールによって与えられるさらなる障壁効果の利益を有する。
【０００９】
また、クロージャデバイスは、消費者によく知られているオーバーキャップの利益を有し、オーバーキャップは例えば、埃や他の汚染物質に対してクロージャデバイスの分配部を覆う衛生カバーとなる。
【００１０】
オーバーキャップは、可能な実施形態において、ベースに対して完全な気密封止を与えるものであってよい。キャップの取り外し前にオーバーキャップ内の空間と外の環境との間が連通状態になく、これは、例えば、無菌クロージャに望ましい。
【００１１】
オーバーキャップは、オーバーキャップの取り外しが初めてであることを明らかにするために、不正開封防止特徴、例えば、不正開封防止バンドが組み入れられることが好ましい。
【００１２】
オーバーキャップは、例えば、オーバーキャップを紛失しないために、または使用者がオーバーキャップを不適切に廃棄することを防止するために、ベースにつながれてもよい。
【００１３】
ベースからオーバーキャップを取り外すために、キャップを回転する必要があることを使用者に示すための視覚標識がオーバーキャップに設けられることが好ましく、標識は例えば、オーバーキャップにある見える状態のねじ形成部および／またはオーバーキャップ上にある１つ以上の指示矢印である。
【００１４】
オーバーキャップは、使用者がクロージャデバイスの回転部品および／または上側密封構成を見ることができるように、少なくとも部分的に透明であることが好ましい。
【００１５】
上側密封構成は、製品の分配に望ましいように組み入れられうる。
【００１６】
可能な実施形態において、上側密封構成は、自動閉鎖密封構成、例えば、当業者に公知であるダックビル弁またはスリット弁である。
【００１７】
別の実施形態において、上側密封構成は、クロージャデバイスの出口で圧力下状態が確立されると開く圧力下作動式の弁を備える。例えば、国際公開第２００６０２８３７８号パンフレットでＳｍａｒｔｓｅａｌ  ＡＳによって一例が開示されている。
【００１８】
別の実施形態において、上側密封構成は、当業者に公知のようなプッシュプルビドン（ｂｉｄｏｎ）タイプの弁を備える。
【００１９】
別の実施形態において、上側密封構成は、例えば、クロージャデバイスが、予め調製された乳児食、例えば、調合乳を含むパッケージに固定されているか、または固定される予定の場合、乳首として組み入れられる。
【００２０】
別の実施形態において、上側密封構成は、引き上げ式のキャップを備える。
【００２１】
別の実施形態において、上側密封構成は、ねじキャップを備える。
【００２２】
運動伝達手段は、ベースからオーバーキャップを初めて取り外す間に回転するオーバーキャップによって生じる回転部品の回転運動を、ベースに対する破裂部材の破裂運動に変える。例えば、破裂運動は、破裂部材の伸縮運動または螺旋運動であってもよい。
【００２３】
破裂運動が螺旋運動である実施形態において、クロージャデバイスは回転・螺旋運動伝達手段を有する。回転・螺旋運動伝達手段は、回転部品の回転運動に破裂部材を合わせ、同時に下側シールの方へ軸方向に破裂部材を移動させ、破裂部材が下側シールと係合して下側シールの破裂を生じさせるように構成される。例えば、このような螺旋運動は、協働ねじ山を有する破裂部材およびベースでもたらされ、破裂部材は、例えば、１つ以上の対応する軸スロットにおいて係合する１つ以上のラグによって回転部品に連結される。回転部品の回転とともに破裂部材を作用させて、破裂部材に軸運動を生じさせるか、または軸運動を許容する他の構成は、当業者に容易に明らかであり、例えば、他方の部品にある１つ以上の対応する開口内にまたは開口を通って突出する１つ以上の軸方向の部材を有する一の部品である。
【００２４】
破裂運動が伸縮運動である実施形態において、破裂部材は例えばパンチデバイスと同様に、下側シールに対して直角に線形運動を行うと考えられている。この実施形態において、クロージャデバイスは、一方では、ベース本体上に、他方では、下側シール破裂部材上に協働線形ガイド部材を備えてもよい。例えば、ベースは、好ましくは、箔タイプの下側シールに対して直角に１つ以上の線形溝を有し、破裂部材は、線形ガイドを形成するために溝内に突出する１つ以上のボスを有する。他の線形ガイド構成も可能である。オーバーキャップを初めて取り外すさいの回転部品の回転運動は、任意の適切な回転・線形運動伝達手段によって、線形にガイドされる破裂部材に伝達される。これは、例えば、回転部品および破裂部材に協働ねじ山を含んでもよいが、例えば、変形例において、回転部品に１つ以上の傾斜面、例えば、歯の端部を備え、線形にガイドされる破裂部材に１つ以上の相補的な傾斜面を備えてもよい。オーバーキャップを初めて取り外すときに結果として生じる回転部品の回転運動により、破裂部材が下側シールの方へ押圧され、破裂を生じさせる。
【００２５】
破裂部材の動作によって生じる破裂は、閉鎖した輪郭の形態で下側シールを通る切り込みであってもよく、その場合、下側シールの中央部が下側シールの周囲部から完全に解放される。切り口は、部分的な切り口であってもよく、その場合、下側シールの中央部は、フラップとして下側シールの周囲部に取り付けられたままである。
【００２６】
オーバーキャップおよび回転部品には、１つ以上のメッシュ部が設けられてもよく、例えば、一方の部品にある１つ以上の歯は、他方の部品にある１つ以上の対応する形成部と噛み合う。
【００２７】
回転部品の１つ以上の連結部材とオーバーキャップの１つ以上の連結部材との噛み合いの代替物として、オーバーキャップを初めて取り外すためにねじをゆるめるさい、オーバーキャップによって回転部品を動作させることを確立するための他の連結形態も考えられる。
【００２８】
例えば、オーバーキャップおよび回転部品には、非円筒状、例えば、楕円形である噛み合いの形状ロックセクションが設けられてもよい。
【００２９】
別の実施形態において、オーバーキャップおよび回転部品は、一時的かつ破壊可能な接続によって接続されてもよく、この接続は、例えば、１つ以上の溶接スポットによって、接着剤によって、または、オーバーキャップと回転部品との間に配置されるか、またはこれらの部材の一方または両方と一体化された１つ以上の破壊可能な（プラスチック）コネクタ部材によって得られてもよい。さらに、この破壊可能な接続は、２つの部材を一時的に相互接続し、回転部品を動作させるのに十分な強度を有し、その後、オーバーキャップが完全に取り外されると破壊される。
【００３０】
別の実施例において、２つの部材は、互いに摩擦嵌合され、摩擦は、前述したように、オーバーキャップの回転によって回転部品を動作させるのに十分なものであり、摩擦連結は、オーバーキャップが完全に取り外されると終了する。
【００３１】
別の実施例において、オーバーキャップまたは回転部品のいずれかに形成された１つ以上の弾性部材が提供され、前記弾性部材は、これらの部品間に一時的な接続を提供するように構成され、回転部品が下側シールの破裂を生じるのに十分に回転されると解放される。例えば、回転部品は、開封プロセス中にオーバーキャップと係合する１つ以上の弾性リップを有する。
【００３２】
本発明のクロージャデバイスのさらなる実施例および好ましい特徴が、従属請求項により、および図面を参照しながらの本明細書の記載により言及される。
【００３３】
本発明はまた、クロージャデバイスが設けられる容器、例えば、折り畳み可能な袋に関する。
【００３４】
クロージャデバイスが予め組み立てられる場合、ベースの下側に、破裂可能な障壁が装着されてもよいことに留意されたい。これは、例えば、無菌クロージャデバイスを提供することを可能にし、製品の内側通路が外部環境から気密封止される。
【００３５】
また、容器本体とベースとの間、例えば、容器のネックとベースとの間に、破裂可能シールが装着されることも可能である。例えば、破裂可能シールは、最初、容器の開口にわたって延伸するように容器に装着され、次に、クロージャデバイスのベースは、容器本体に装着されている。これにより、例えば、製品、例えば、飲料のような食品で容器を充填し、次に、破裂可能シールで容器の開口を密封した後、ベースを有するクロージャデバイスを容器に適用することができる。例えば、容器を充填し、開口を破裂可能な障壁で密封するステップは、無菌状況下で行われ、ベースを有するクロージャの容器への適用は、非無菌状況下で行われる。
【００３６】
以下、図面を参照しながら、本発明について説明する。
【図面の簡単な説明】
【００３７】
【図１】折り畳み可能な袋に装着する前の、本発明によるクロージャデバイスの実施例の側面図を示す。
【図２】オーバーキャップを取り外した後の図１のクロージャデバイスを示す。
【図３】図２のクロージャデバイスの上方斜視図を示す。
【図４】取り外し後のオーバーキャップの一部の上方斜視図を示す。
【図５】図２のクロージャデバイスの下方斜視図を示す。
【図６ａ】上側密封構成を有する図１のクロージャデバイスの回転部品の斜視図を示す。
【図６ｂ】前記回転部品の中央部材の断面を示す。
【図６ｃ】前記中央部材および上側密封構成の断面図を示す。
【図６ｄ】前記回転部品の断面図を示す。
【図７】図１の状況にあるクロージャデバイスの回転部品および箔切断部材を示す。
【図８】図１の状況にあるクロージャデバイスのベース、回転部品および箔切断部材を示す。
【図９】図２の状況にあるクロージャデバイスの回転部品および箔切断部材を示す。
【図１０】図２の状況にあるクロージャデバイスのベース、回転部品および箔切断部材を示す。
【図１１】明確にするために箔切断部材が省略された、クロージャデバイスの上側密封構成を有するベースおよび回転部品を示す。
【図１２】折り畳み可能な袋に装着する前の本発明によるクロージャデバイスの第２の実施例の部分切欠き側面図を示す。
【図１３】明確にするためにオーバーキャップが省略された図１２の状況にあるクロージャデバイスを示す。
【図１４】図１２の状況にあるオーバーキャップ、回転部品の部分および破裂部材を示す。
【図１５】図１２の状況にあるオーバーキャップ、回転部品の部分およびベースを示す。
【発明を実施するための形態】
【００３８】
図１〜図１１を参照しながら、クロージャデバイスおよびこのようなクロージャデバイスが設けられた容器の第１の実施例について記述する。図１２〜図１５を参照しながら、第２の実施例について記述する。
【００３９】
第１および第２の実施例において、クロージャデバイス１、１０１は、折り畳み可能な袋（図示せず）の対向する膜壁間でヒートシールまたは誘導シールされるように構成される。別の変形例において、クロージャデバイス１、１０１は、あらゆる種類の製品容器に適用されてもよく、前記容器には、流動製品、例えば、液体、ペースト、または粉末状の製品が充填されることが好ましい。
【００４０】
クロージャデバイス１、１０１は、分配が行われる必要のない間、容器を密封したままにするように働く。分配が望まれると、クロージャデバイスは使用者によって作動され、容器から製品を分配するための分配デバイスとして働く。
【００４１】
一般に、クロージャデバイス１、１０１は、製品容器にクロージャデバイスを装着するように構成されたコネクタ部２ａ、１０２ａ付き本体を有するベース２、１０２を備える。ベースは、適切なプラスチック材料の射出成形によって形成されるのが好ましい。ここで、一例として、コネクタ部２ａ、１０２ａは、直径に沿って対向する翼構造４を有する中央管状部３を備える。他の例示的なデザインにおいて、コネクタ部２ａ、１０２ａは、容器の壁、例えば、袋の膜壁またはカートンのパネルにベースを取り付けるために半径方向のフランジが組み入れられてもよく、または容器の螺装ネックなどにねじ込まれるように組み込まれてもよい。当業者は、コネクタ部２ａ、１０２ａのこのような実施形態を熟知している。
【００４２】
ベース２、１０２には製品チャネル５、１０５があり、製品チャネルは、この場合、ベースの管状部３、１０３を通って延伸する。
【００４３】
ここでは、箔４、１０４として組み入れられている破裂可能シールが、製品チャネル５、１０５を塞ぎ、下側シールを形成する。
【００４４】
破裂可能シール４、１０４は、製品チャネル５、１０５の下端部で、実質的には、入口開口に形成される。下側シールが破られるまで、製品はチャネル５、１０５に入らない。
【００４５】
箔４、１０４は、ベース２、１０２にヒートシールまたは誘導シールされることが好ましい。箔４、１０４は、１つ以上の複数の層を含んでもよい。箔４、１０４は、当業者に知られているように、高い障壁特性を得るために、１つ以上の金属層、例えば、アルミニウムを含んでもよい。
【００４６】
箔の代わりに、別の破裂可能膜、例えば、射出成形膜が使用されてもよく、この膜は、ベース２、１０２の本体と一体に射出成形される可能性がある。
【００４７】
破裂可能シールは、好ましくはないが、１つ以上のウィークラインを含んでもよい。
【００４８】
保護オーバーキャップ１０、１１０は、最初、ベース２、１０２に接続され、オーバーキャップをベース２、１０２から取り外すために、使用者によってベース２、１０２に対して回転されるように構成される。
【００４９】
ここで、ベース２、１０２は、外側部１１ａを有する環状壁部１１、１１１を備える。オーバーキャップ１０、１１０および環状壁部１１、１１１の外側部１１ａは、オーバーキャップ１０、１１０が、使用者によってベース２、１０２からねじをゆるめて外さられるように、協働ねじ山１２、１３、１１２を有する。オーバーキャップ１０、１１０のねじをゆるめるのに、好ましくは、オーバーキャップ１０、１１０を１回転未満、好ましくは、約半回転させる必要がある。代替例として、オーバーキャップおよびベースは、例えば、協働差し込み手段を有してもよい。
【００５０】
オーバーキャップ１０、１１０には、不正開封防止特徴、ここでは、キャップスカートの下縁にある不正開封防止バンド１４、１１４が設けられるのが好ましい。これらの実施例において、バンド１４、１１４は、ベース本体の上の保持リブ１５、１１５下に嵌め込む。オーバーキャップ１０、１１０が、ベース２、１０２から初めてねじをゆるめて外されるときに破壊されるように、１つ以上の破壊可能なブリッジが、バンド１４、１１４および／または、バンドとキャップとの間に存在する。
【００５１】
クロージャデバイス１、１０１は、ベースに回転自在に軸支される回転部品２０、１２０をさらに備える。回転部品は、ベース２、１０２の製品チャネル５、１０５と開かれた連通状態にある製品通路２１、１２１を有する。
【００５２】
上側密封構成３０、１３０が回転部品２０、１２０に固定され、クロージャデバイス１、２０１の上側シールを形成する。上側シールは、下側シール４、１０４から離れた位置にあり、回転部品の上端部で回転部品２０、１２０の製品通路２１、１２１を密封する
【００５３】
上側密封構成３０、１３０は、オーバーキャップ１０、１１０を初めて取り外す前、閉鎖状態にある。
【００５４】
これらの実施例において、上側密封構成３０、１３０は、弁の出口で圧力下状態（Ｕｎｄｅｒｐｒｅｓｓｕｒｅ）が確立されると開く、自動閉鎖する圧力下作動式の弁が組み入れられる。この弁は、国際公開第２００６０２８３７８号パンフレットの開示に従って組み入れられる。
【００５５】
上側密封構成の弁３０、１３０は、前記弁が閉鎖されると、回転部品２０、１２０によって形成された座に着座する弁要素３１、１３１を備える。弁要素３１、１３１は、弁を開口するために容器内部の方へ移動されるため、箔４、１０４が破られると、容器内部の過度の圧力で弁３０、１３０を閉鎖しようとする。
【００５６】
圧力下作動式の弁は、弁３０、１３０の出口と連通状態にある真空チャンバ３２、１３２を含むので、特に、弁を介して容器から飲むことによって圧力下状態が前記出口に生じ、弁が開く。
【００５７】
この実施例において、真空チャンバ３２、１３２は、回転部品２０、１２０に周囲が固定された可撓性環状ダイヤフラム３３、１３３によって部分的に範囲が定められる。ダイヤフラム３３、１３３の中央には、弁要素３１、１３１を担持する分配構造がある。ここでは、分配構造は、上端部に相互接続された２つの同心管状部３４ａ、３４ｂを含み、前記構造は、回転部品２０、１２０の管状部２４にわたって摺動する。内側管状部３４ｂは、下端部で弁要素３１、１３１を担持する。弁３０、１３０が開かれると、内側管状部３４ｂ内に製品が入るように、１つ以上のポートが設けられる。
【００５８】
使用者が弁３０、１３０の出口を吸う場合、例えば、適切な穴および／または部分２３と弁３０、１３０の分配構造との間のギャップを介して、チャンバ３２、１３２が前記入口と連通状態にあるため、圧力下状態がチャンバ３２、１３２にも生じる。チャンバ３２、１３２と、ダイヤフラムの外側に作用する大気圧との間に結果的に得られる圧力差により、弁が開く。
【００５９】
図に示す弁は、例えば、飲料容器、例えば、折り畳み可能な袋の飲料容器とともに使用するための上側密封構成の一例にすぎず、弁３０を吸うことによって飲むことが想定されることを認識されたい。
【００６０】
上側密封構成の他の可能な実施形態は、例えば、調乳や別の乳幼児用飲料または食品とともに使用するためなど、赤ちゃんや乳幼児とともに使用するための乳首を含む。
【００６１】
上側密封構成の他の可能な実施形態は、例えば、ダックビル弁、スリット弁、引き上げ式のキャップまたはねじキャップなどである。
【００６２】
上側密封構成はまた、例えば、化粧品（例えば、ブラシ）、ボディケア、洗濯または家庭用品、例えば、洗剤、洗浄剤、洗車などで使用するために、回転部品が対象物、例えば、容器から製品が分配されるアプリケータまたは（電動式の）ディスペンサに接続または接続される予定であるときに、開き、又は開かれるように組み入れられてもよい。
【００６３】
クロージャデバイス１、１０１はまた下側シール破裂部材４０、１４０を備える。下側シール破裂部材４０、１４０は破裂運動において、ベース２、１０２に対して移動可能であり、破裂可能下側シールを破裂させる。ここでは、箔カッター部材４０、１４０として組み入れられ、箔４、１０４内に切り込みを入れる。好ましくは、部材４０、１４０は、ベース２、１０２および回転部材２０、１２０内に収容される。
【００６４】
回転部品２０、１２０の回転作動があると、下側シール破裂部材４０、１４０の破裂運動を行うように運動伝達手段が設けられる。回転部品２０、１２０の回転作動は使用者がベース２、１０２からオーバーキャップ１０、１１０を取り外すことによって生じる。
【００６５】
ねじをゆるめることによるオーバーキャップ１０、１１０の取り外しによって、オーバーキャップ１０、１１０は回転部品２０、１２０と係合し、回転部品２０、１２０の回転運動を生じる。
【００６６】
これらの実施例において、回転部品２０、１２０には、１つ以上の外向きに突出する部材または歯２５、１２５が設けられる。オーバーキャップ１０には、１つ以上の内向きに突出する要素もしくは歯１６、または歯１２５を受け入れる凹部が設けられ、前記要素は、キャップ１０、１１０の回転後、回転部品２０、１２０が回転するように互いに噛み合う。図１の実施例において、突出部１６、２５は、互いに平行に、回転部品の回転面に対して直角に延伸することが好ましい。
【００６７】
オーバーキャップ１０、１１０と回転部品２０、１２０との間の連結により、下側シール破裂部材４０、１４０は、破裂可能下側シール４、１０４を破裂させて、それにより製品チャネルを開くように破裂運動を行う。オーバーキャップ１１０を回転させて初めて取り外すプロセスの間、上側密封構成３０、１３０は、下側シール４、１０４が開封されても、流出が起きないように閉状態のままである。
【００６８】
図１〜図１１の実施形態において、下側シール破裂部材４０は回転部品２０に接続され、オーバーキャップ１０を取り外すさいに回転部品２０とともに回転され、および、螺旋破裂運動を行う。ここでは下側シール破裂部材４０は、シールの上方に間隔を置いた開始位置から前記シールへ向かった後、下側シール４を通過する。代替例において、破裂運動は、線形伸縮運動または他の適切な経路運動でありうる。
【００６９】
回転部品２０は、部材４０の１つ以上の軸方向スロット４２内に延伸する１つ以上の内向きラグ２７を有することにより、部材４０が部品２０の回転に従うと同時に、箔４の方へ軸方向に移動させられる。
【００７０】
第１の実施例において、下側シール破裂部材４０およびベース２は協働ねじ山４１、３ｂを有し、螺旋破裂運動の軸方向成分を下側シール４に向かって生じさせる。ベースは、製品通路５の中、特に、存在する場合には管状部３の領域に１つ以上のねじ山３ｂを有することが好ましい。
【００７１】
下側シール破裂部材４０、１４０は、中央孔がある管状本体を有し、前記本体は、ベース２、１０２の製品チャネル５、１０５に部分的に位置し、回転部品２０、１２１の製品通路に部分的に位置することが好ましい。製品の分配に際し、製品は下側シール破裂部材４０、１４０を通って流れる。
【００７２】
ベースの環状壁１１、１１１は自立型であり、前記壁１１は、回転部品２０、１２０が軸支された内側部を有する。
【００７３】
回転部品２０、１２０は、ベース３、１０３にスナップ嵌合される。壁１１、１１１は、内側部の上端部にスナップ縁を有し、回転部品２０、１２０は、噛み合いスナップ縁２８を有する。
【００７４】
回転部品２０は、ここでは、製品通路５の一部を形成する環状壁部１７によって形成されたベースの孔内に延伸する管状部２０ａを備える。望ましくない製品の漏れを防止するために、前記管状部２０ａとベース２との間に、環状製品シールが存在する。
【００７５】
箔カッター部材４０、１４０は、最も好ましくは、螺旋破裂運動と組み合わせて、切断効果を高めるために１つ以上の切断歯４４、１４４を有してもよい。
【００７６】
製品が充填され、クロージャデバイス１、１０１が設けられた容器の使用は、使用者がベース２、１０２からオーバーキャップ１０、１１０のねじをゆるめることで開始される。これは、オーバーキャップ１０、１１０上の１つ以上の矢印またはオーバーキャップ１０上にあるねじ山またはキャップの他の特徴の視認性によって示されてもよい。使用者は、オーバーキャップ１０、１１０を掴み、キャップ１０、１１０をゆるめる。この動作を行うことによって、詳細に説明されるように、使用者は、同時に、１つ以上の歯とともに箔４、１０４内におよび箔４、１０４を貫通して移動される部材４０、１４０の影響下で箔、４；１０４（使用者には目に見えない場合が多い）を破裂させる。推定されるように、使用者は、この破裂動作にまったく気が付かないことさえある。キャップ１０、１１０が取り外されると、使用者は、この実施例において、弁３０、１３０を吸うことによって、容器から飲むことができる。説明されるように、弁３０、１３０は、キャップ１０、１１０の取り外し中、閉鎖されたままであるため、使用者は容器から製品が勢いよく流れ出ることに驚くことはなく、流出は防止または抑制される。
【００７７】
上記の弁３０、１３０は、上側密封構成の一例である。他のタイプの上側密封構成も同様に可能である。回転部品２０、１２０は、別の上側密封構成を担持するための修正がほとんど必要ないことを認識されたい。
【００７８】
第１の実施例において、回転部品は、図６ｂに示すように、上端部に管状部２３を有する中央部品２０ａを備える。回転部品は、ダイヤフラム３３が取り付けられた管状部と同軸の円周方向の壁部をさらに含み、回転部品２０の外側部品２０ｂが中央部品２０ａにわたって取り付けられ、前記部品２０ａ、２０ｂ間にダイヤフラム３３を締め付ける。外側部品２０ｂはラグ２７を把持する。
【００７９】
オーバーキャップ１０、１１０は、少なくとも部分的に透明であることが好ましく、使用者は、内部を見ることができ、例えば、汚染が発生していないことがはっきりとわかり、密封構成のタイプを見ることができる。
【００８０】
以下、図１２〜図１５を参照しながら、本発明によるクロージャデバイス１０１の第２の実施例の特定の詳細について記述する。
【００８１】
この第２の例示的な実施形態において、破裂部材１４０は、ベース１０２に対して線形に案内される。
【００８２】
ベース１０２は、ここでは、２つの線形溝１５０（図１５に最良に図示）を有し、線形溝１５０は、箔タイプの下側シール１０４に対して直角に軸方向にあることが好ましい。破裂部材１４０は、対応するボス、リブまたは他の部材１５１（図１４に最良に図示）を有し、各々は、線形ガイドアセンブリを形成するように溝１５０内に突出する。他の線形ガイド構成も可能であり、例えば、ベースの孔および破裂部材は、対応する非円形の水平断面を有することを認識されたい。
【００８３】
このため、この第２の実施例において、破裂運動は、パンチに類似しており、歯１４４は、例えば、全円または円の一部の切り口をシール１０４に形成する。
【００８４】
オーバーキャップ１１０が初めて取り外されるさいの回転部品１２０の回転運動は、任意の適切な回転・線形伝達機構によって線形案内された破裂部材１４０に伝達されてもよい。
【００８５】
この実施例において、破裂部材１４０および回転部品１２０のそれぞれに協働するねじ山１６１、１６２があるため、オーバーキャップ１１０が取り外されるさいに、部品１２０が回転されると、部材１４０はシール１０４の方へ下方に移動する。
【００８６】
ねじ山１６１、１６２は、オーバーキャプ取り外しプロセスにおいて最終的に、互いから係合解除される実施形態が考えられてもよい。
【００８７】
噛み合いねじ山１６１、１６２の代わりに、運動伝達機構はまた、１つ以上の傾斜面、例えば、円形配置の一連の歯の端部によって形成された傾斜面を回転部品に備えるとともに、線形案内される破裂部材の例えば上端部に１つ以上の相補的な傾斜面を備えてもよい。オーバーキャップが初めて取り外しによって、回転部品に生じる回転により、破裂部材は下側シールの方へ押され、破裂を生じさせる。
【図１】
2013539443.tif 000003
【図２】
2013539443.tif 000004
【図３】
2013539443.tif 000005
【図４】
2013539443.tif 000006
【図５】
2013539443.tif 000007
【図６ａ】
2013539443.tif 000008
【図６ｂ】
2013539443.tif 000009
【図６ｃ】
2013539443.tif 000010
【図６ｄ】
2013539443.tif 000011
【図７】
2013539443.tif 000012
【図８】
2013539443.tif 000013
【図９】
2013539443.tif 000014
【図１０】
2013539443.tif 000015
【図１１】
2013539443.tif 000016
【図１２】
2013539443.tif 000017
【図１３】
2013539443.tif 000018
【図１４】
2013539443.tif 000019
【図１５】
2013539443.tif 000020
【国際調査報告】
2013539443.tif 000021
2013539443.tif 000022
2013539443.tif 000023